(57)【要約】【課題】バイパス機構を有するインテークダクトの形状を好適に設計する。【解決手段】インテークダクト設計装置１が、空気の振動現象を抑制するためのバイパス機構２３を有するインテークダクト２０を設計対象として、設計対象に関する設計パラメータの値を設定し、設計パラメータの値を用いて設計対象の形状を設定し、設定された形状を用いてＣＦＤ解析により設計対象の空力特性と必要バイパス流量とを計算し、その解析結果が予め設定された設計条件を満たしていない場合に設計パラメータの値を更新し、解析結果が設計条件を満たすまで、形状設定と、ＣＦＤ解析と、設計パラメータの更新とを繰り返す。【選択図】図３
2020047161.tif 000002
【特許請求の範囲】
【請求項１】
航空機のインテークダクトの形状を設計するインテークダクト設計方法であって、
インテークダクト設計装置が、
空気の振動現象を抑制するためのバイパス機構を有するインテークダクトを設計対象として、
ユーザ操作に基づいて前記設計対象に関する設計パラメータの値を設定する設計パラメータ設定工程と、
前記設計パラメータの値を用いて前記設計対象の形状を設定する形状設定工程と、
前記形状設定工程で設定された前記設計対象の形状を用いてＣＦＤ解析用の解析モデルを作成し、前記設計対象の空力特性と、空気の振動現象を抑制するために前記バイパス機構から放出させる必要バイパス流量とを計算するＣＦＤ解析工程と、
前記ＣＦＤ解析工程での解析結果が、予め設定された設計条件を満たすか否かを判定する判定工程と、
前記判定工程において前記ＣＦＤ解析工程での解析結果が前記設計条件を満たしていないと判定された場合に、前記設計パラメータの値を更新する設計パラメータ更新工程と、
を実行し、
前記判定工程において前記ＣＦＤ解析工程での解析結果が前記設計条件を満たしていると判定されるまで、前記形状設定工程、前記ＣＦＤ解析工程、前記判定工程及び前記設計パラメータ更新工程を繰り返すことを特徴とするインテークダクト設計方法。
【請求項２】
前記設計パラメータ更新工程では、前記設計条件を満たす解が得られるように前記設計パラメータが最適化されつつ更新されることを特徴とする請求項１に記載のインテークダクト設計方法。
【請求項３】
前記ＣＦＤ解析工程では、機体速度が超音速域のデザイン点と、当該デザイン点よりも機体速度が低速のオフデザイン点との各々における計算が実行されることを特徴とする請求項１または２に記載のインテークダクト設計方法。
【請求項４】
航空機のインテークダクトの形状を設計するインテークダクト設計プログラムであって、
コンピュータを、
空気の振動現象を抑制するためのバイパス機構を有するインテークダクトを設計対象として、
ユーザ操作に基づいて前記設計対象に関する設計パラメータの値を設定する設計パラメータ設定手段、
前記設計パラメータの値を用いて前記設計対象の形状を設定する形状設定手段、
前記形状設定手段により設定された前記設計対象の形状を用いてＣＦＤ解析用の各解析モデルを作成し、前記設計対象の空力特性と、空気の振動現象を抑制するために前記バイパス機構から放出させる必要バイパス流量とを計算するＣＦＤ解析手段、
前記ＣＦＤ解析手段による解析結果が、予め設定された設計条件を満たすか否かを判定する判定手段、
前記判定手段により前記ＣＦＤ解析手段での解析結果が前記設計条件を満たしていないと判定された場合に、前記設計パラメータの値を更新する設計パラメータ更新手段、
として機能させ、
前記判定手段により前記ＣＦＤ解析手段での解析結果が前記設計条件を満たしていると判定されるまで、前記形状設定手段、前記ＣＦＤ解析手段、前記判定手段及び前記設計パラメータ更新手段での処理を繰り返すことを特徴とするインテークダクト設計プログラム。
【請求項５】
航空機のインテークダクトの形状を設計するインテークダクト設計装置であって、
空気の振動現象を抑制するためのバイパス機構を有するインテークダクトを設計対象として、
ユーザ操作に基づいて前記設計対象に関する設計パラメータの値を設定する設計パラメータ設定手段と、
前記設計パラメータの値を用いて前記設計対象の形状を設定する形状設定手段と、
前記形状設定手段により設定された前記設計対象の形状を用いてＣＦＤ解析用の各解析モデルを作成し、前記設計対象の空力特性と、空気の振動現象を抑制するために前記バイパス機構から放出させる必要バイパス流量とを計算するＣＦＤ解析手段と、
前記ＣＦＤ解析手段による解析結果が、予め設定された設計条件を満たすか否かを判定する判定手段と、
前記判定手段により前記ＣＦＤ解析手段での解析結果が前記設計条件を満たしていないと判定された場合に、前記設計パラメータの値を更新する設計パラメータ更新手段と、
を備え、
前記判定手段により前記ＣＦＤ解析手段での解析結果が前記設計条件を満たしていると判定されるまで、前記形状設定手段、前記ＣＦＤ解析手段、前記判定手段及び前記設計パラメータ更新手段での処理を繰り返すことを特徴とするインテークダクト設計装置。
【発明の詳細な説明】
【技術分野】
【０００１】
本発明は、バイパス機構を有するインテークダクトを設計する技術に関する。
【背景技術】
【０００２】
航空機のインテークダクトは、航空機の運用状態の全てにおいて、エンジンから要求される流量の空気を捕獲し、エンジンが正常に作動できる状態でこの空気をエンジンに供給できる必要がある。したがって、インテークダクトの形状には、空気力学的な要件として、通過する気流の総圧損失及び流れの不均一（ディストーション）を生じさせないことが求められる。
【０００３】
さらに超音速で飛行する航空機の場合、インテークダクト内部に空気の振動現象（バズ）が生じる可能性がある（例えば、特許文献１参照）。バズは、エンジンの不作動や損傷を招くおそれがあるため、超音速で飛行する航空機のインテークダクトには、バズを抑制できる機構を設ける必要があり、その１つにバイパス機構がある（図２参照）。バズは空気の流量がある下限を下回ると発生するため、バズを抑制できる流量を取り込みつつ、そのうちエンジンに不要な分の空気をバイパス機構からダクト外へ放出することによって、好適にバズを抑制することができる。
【先行技術文献】
【特許文献】
【０００４】
【特許文献１】特開平１０−３０４９７号公報
【発明の概要】
【発明が解決しようとする課題】
【０００５】
しかしながら、従来の設計手法では、バズを抑制できるバイパス流量を知るために風洞試験を行っていた。そのため、コストや時間の問題から設計サイクル回数を十分に確保できず、インテークダクトの最適形状を得ることが難しかった。
【０００６】
本発明は、上記課題を解決するためになされたもので、バイパス機構を有するインテークダクトの形状を好適に設計することを目的とする。
【課題を解決するための手段】
【０００７】
上記目的を達成するために、請求項１に記載の発明は、航空機のインテークダクトの形状を設計するインテークダクト設計方法であって、
インテークダクト設計装置が、
空気の振動現象を抑制するためのバイパス機構を有するインテークダクトを設計対象として、
ユーザ操作に基づいて前記設計対象に関する設計パラメータの値を設定する設計パラメータ設定工程と、
前記設計パラメータの値を用いて前記設計対象の形状を設定する形状設定工程と、
前記形状設定工程で設定された前記設計対象の形状を用いてＣＦＤ（Computational Fluid Dynamics）解析用の解析モデルを作成し、前記設計対象の空力特性と、空気の振動現象を抑制するために前記バイパス機構から放出させる必要バイパス流量とを計算するＣＦＤ解析工程と、
前記ＣＦＤ解析工程での解析結果が、予め設定された設計条件を満たすか否かを判定する判定工程と、
前記判定工程において前記ＣＦＤ解析工程での解析結果が前記設計条件を満たしていないと判定された場合に、前記設計パラメータの値を更新する設計パラメータ更新工程と、
を実行し、
前記判定工程において前記ＣＦＤ解析工程での解析結果が前記設計条件を満たしていると判定されるまで、前記形状設定工程、前記ＣＦＤ解析工程、前記判定工程及び前記設計パラメータ更新工程を繰り返すことを特徴とする。
【０００８】
請求項２に記載の発明は、請求項１に記載のインテークダクト設計方法において、
前記設計パラメータ更新工程では、前記設計条件を満たす解が得られるように前記設計パラメータが最適化されつつ更新されることを特徴とする。
【０００９】
請求項３に記載の発明は、請求項１または２に記載のインテークダクト設計方法において、
前記ＣＦＤ解析工程では、機体速度が超音速域のデザイン点と、当該デザイン点よりも機体速度が低速のオフデザイン点との各々における計算が実行されることを特徴とする。
【００１０】
請求項４及び請求項５に記載の発明は、請求項１に記載のインテークダクト設計方法と同様の特徴を具備するインテークダクト設計プログラム及びインテークダクト設計装置である。
【発明の効果】
【００１１】
本発明によれば、バイパス機構を有するインテークダクトを設計対象とし、設計対象の空力特性と、空気の振動現象を抑制するためにバイパス機構から放出させる必要バイパス流量とがＣＦＤ解析により計算される。そして、その解析結果が所定の設計条件を満足するまで、設計対象に関する設計パラメータが随時更新されながらＣＦＤ解析が繰り返される。
これにより、必要バイパス流量（バズ発生条件）が風洞試験によらずにＣＦＤ解析で求まるため、設計１サイクルに要するコストと時間を削減するとともに、設計パラメータ設定（更新）から性能評価までを自動化することができる。したがって、設計サイクル回数を確保することができ、インテークダクトの最適形状を得ることができる。
よって、バイパス機構を有するインテークダクトの形状を好適に設計することができる。
【図面の簡単な説明】
【００１２】
【図１】実施形態におけるインテークダクト設計装置の機能構成を示すブロック図である。
【図２】実施形態におけるインテークダクト設計処理での設計対象を説明するための図である。
【図３】実施形態におけるインテークダクト設計処理の流れを示すフローチャートである。
【発明を実施するための形態】
【００１３】
以下、本発明の実施形態について、図面を参照して説明する。
【００１４】
［インテークダクト設計装置の構成］
まず、本実施形態におけるインテークダクト設計装置１の構成について説明する。
図１は、インテークダクト設計装置１の機能構成を示すブロック図である。
本実施形態におけるインテークダクト設計装置１は、航空機におけるインテークダクトの形状を設定する情報処理装置であり、特に、超音速飛行における空気の振動現象（バズ）を抑制するためのバイパス機構を有するインテークダクト（図２参照）を設計するためのものである。
具体的には、図１に示すように、インテークダクト設計装置１は、入力部１１、表示部１２、記憶部１３、ＣＰＵ（Central Processing Unit）１４を備えている。
【００１５】
入力部１１は、図示しない各種入力キーを備えており、押下されたキーの位置に対応する入力信号をＣＰＵ１４に出力する。
表示部１２は、図示しないディスプレイを備えており、ＣＰＵ１４から入力される表示信号に基づいて各種情報をディスプレイに表示する。
【００１６】
記憶部１３は、ＲＡＭ（Random Access Memory）やＲＯＭ（Read Only Memory）等により構成されるメモリであり、各種のプログラム及びデータを記憶するとともに、ＣＰＵ１４の作業領域としても機能する。本実施形態では、記憶部１３は、インテークダクト設計プログラム１３０と、ＣＦＤ解析プログラム１３１と、三次元ＣＡＤプログラム１３２とを記憶している。
【００１７】
インテークダクト設計プログラム１３０は、後述のインテークダクト設計処理（図３参照）をＣＰＵ１４に実行させるためのプログラムである。
ＣＦＤ解析プログラム１３１は、設計対象の空力特性等を計算するためのＣＦＤ（Computational Fluid Dynamics）解析ソフトである。
三次元ＣＡＤプログラム１３２は、ＣＦＤ解析プログラム１３１用の解析モデルを作成するためのソフトウェアである。
【００１８】
また、記憶部１３は、設計パラメータ記憶領域１３４を有している。
設計パラメータ記憶領域１３４は、後述のインテークダクト設計処理における設計パラメータを格納するメモリ領域である。
【００１９】
ＣＰＵ１４は、入力される指示に応じて所定のプログラムに基づいた処理を実行し、各機能部への指示やデータの転送等を行い、インテークダクト設計装置１を統括的に制御する。具体的には、ＣＰＵ１４は、入力部１１から入力される操作信号等に応じて記憶部１３から各種プログラムを読み出し、当該プログラムに従って処理を実行する。そして、ＣＰＵ１４は、処理結果を記憶部１３に一時保存するとともに、当該処理結果を表示部１２に適宜出力させる。
【００２０】
［インテークダクト設計装置の動作］
続いて、インテークダクト設計処理を実行する際のインテークダクト設計装置１の動作について説明する。
図２は、インテークダクト設計処理における設計対象であるインテークダクトを模式的に示した図であり、図３は、インテークダクト設計処理の流れを示すフローチャートである。
【００２１】
図２に示すように、インテークダクト設計処理は、航空機のインテークダクト２０の形状を、主に空力特性を考慮して設計する処理である。より詳細には、インテークダクト設計処理では、ダクト入口のインテーク２１と、そこからエンジン入口までのダクト部２２とを含むインテークダクト２０全体の形状が設計対象（設計範囲）とされる。ダクト部２２には、超音速飛行における空気の振動現象（バズ）を抑制するためのバイパス機構２３が設けられている。バズは空気の流量が所定値を下回ると発生するため、バズを抑制できるだけの流量を取り込みつつ、そのうちエンジンに不要な分量をバイパス機構２３からダクト外へ放出する（バイパスする）ことによって、好適にバズが抑制される。
このインテークダクト設計処理は、ユーザにより当該インテークダクト設計処理の実行指示が入力されたときに、ＣＰＵ１４が記憶部１３からインテークダクト設計プログラム１３０を読み出して展開することで実行される。
なお、インテークダクト設計処理における各部の形状設定では、三次元ＣＡＤプログラム１３２により三次元形状が設定され、その際、各部の接続面等の曲線・曲面形状は、例えばＮＵＲＢＳ（Non-Uniform Rational Basis Spline）関数等により作成される。
【００２２】
図３に示すように、インテークダクト設計処理が実行されると、まずＣＰＵ１４は、ユーザ操作に基づいて、設計対象に関する各種の設計要求や、装備品のレイアウト等による制約条件を設定する（ステップＳ１）。
【００２３】
次に、ＣＰＵ１４は、ユーザ操作に基づいて、設計パラメータの初期値を設定する（ステップＳ２）。
具体的に、このステップでは、ステップＳ１で設定された設計要求や制約条件を考慮し、インテークダクト２０の形状パラメータ等について、初期値が適宜設定される。
そして、ＣＰＵ１４は、ユーザにより入力された設計パラメータの初期値を受け付けて、設計パラメータ記憶領域１３４に記憶させる。
【００２４】
次に、ＣＰＵ１４は、三次元ＣＡＤプログラム１３２により、インテークダクト２０の３Ｄ形状データを作成する（ステップＳ３）。
ここでは、ステップＳ２で設定された設計パラメータ等に基づいて、インテーク２１、ダクト部２２及びバイパス機構２３の形状を設計する。
【００２５】
次に、ＣＰＵ１４は、ステップＳ３で作成した３Ｄ形状データを用いてＣＦＤ解析を実行する（ステップＳ４）。
具体的に、ＣＰＵ１４は、ＣＦＤ解析プログラム１３１により、３Ｄ形状データに解析格子を生成してＣＦＤ解析モデルを作成した後に、ＣＦＤ解析を実行する。このＣＦＤ解析では、例えば、超音速域のデザイン点（設計点）における解析とともに、亜音速域のオフデザイン点における解析が実行される。
本実施形態では、ＣＦＤ解析により、バズ発生条件（必要バイパス流量）と、総圧損失やディストーション等の総合的な空力特性とが算出される。
【００２６】
次に、ＣＰＵ１４は、ステップＳ４のＣＦＤ解析から得られた解析結果が、所定の設計条件を満たしているか否かを判定する（ステップＳ５）。
ここで、設計条件は、ＣＦＤ解析の解析結果に対し、デザイン点及びオフデザイン点の各々について予め設定されている。
【００２７】
このステップＳ５において、ＣＦＤ解析から得られた解析結果が設計条件を満たしていないと判定した場合には（ステップＳ５；Ｎｏ）、ＣＰＵ１４は、設計パラメータ記憶領域１３４に記憶された設計パラメータを最適化しつつ更新し（ステップＳ６）、上述のステップＳ３へ処理を移行する。
このとき、ＣＰＵ１４は、ＣＦＤ解析の解析結果が設計条件を満たす方向に向かうように、設計パラメータを最適化する。例えば勾配法、遺伝的アルゴリズム又は応答曲面法などの最適化手法を用いることにより、設計条件を満たす解が得られるように、設計パラメータを最適化しつつ更新する。
【００２８】
これにより、ＣＦＤ解析の結果が設計条件を満たすまで、設計対象の形状データの作成と、ＣＦＤ解析と、設計条件を満たすか否かの判定と、設計パラメータの最適化（更新）とが繰り返される。
【００２９】
そして、ステップＳ５において、ＣＦＤ解析から得られた解析結果が設計条件を満たしていると判定した場合には（ステップＳ５；Ｙｅｓ）、ＣＰＵ１４は、処理結果を表示部１２に出力などした後に、インテークダクト設計処理を終了する。
【００３０】
［効果］
以上のように、本実施形態によれば、バイパス機構２３を有するインテークダクト２０を設計対象とし、この設計対象の空力特性と、空気の振動現象を抑制するためにバイパス機構２３から放出させる必要バイパス流量とがＣＦＤ解析により計算される。そして、その解析結果が所定の設計条件を満足するまで、設計対象に関する設計パラメータが随時更新されながらＣＦＤ解析が繰り返される。
これにより、必要バイパス流量（バズ発生条件）が風洞試験によらずにＣＦＤ解析で求まるため、設計１サイクルに要するコストと時間を削減するとともに、設計パラメータ設定（更新）から性能評価までを自動化することができる。したがって、設計サイクル回数を確保することができ、インテークダクト２０の最適形状を得ることができる。
よって、バイパス機構２３を有するインテークダクト２０の形状を好適に設計することができる。
【００３１】
また、設計パラメータの更新では、設計条件を満たす解が得られるように設計パラメータが最適化されつつ更新されるので、より好適にインテークダクト２０の最適形状を得ることができる。
【００３２】
なお、本発明を適用可能な実施形態は、上述した実施形態に限定されることなく、本発明の趣旨を逸脱しない範囲で適宜変更可能である。
【符号の説明】
【００３３】
１        インテークダクト設計装置
１３      記憶部
１４      ＣＰＵ
２０      インテークダクト
２１      インテーク
２２      ダクト部
２３      バイパス機構
１３０    インテークダクト設計プログラム
１３１    ＣＦＤ解析プログラム
１３４    設計パラメータ記憶領域
【図１】
2020047161.tif 000003
【図２】
2020047161.tif 000004
【図３】
2020047161.tif 000005